【手続補正書】
【提出日】平成20年9月11日(2008.9.11)
【手続補正１】
【補正対象書類名】特許請求の範囲
【補正対象項目名】全文
【補正方法】変更
【補正の内容】
【特許請求の範囲】
【請求項１】
軌道上を走行する列車の位置情報を取得する位置情報取得手段と、
複数の放送局から発信された放送信号の１つ以上を受信する受信手段と、
前記受信手段によって受信された放送信号に基づく情報を、利用者に提供する情報提供手段と、
前記情報提供手段によって提供される情報の元になる放送信号を、前記複数の放送局から発信された放送信号のいずれかに切り替える放送局切替手段と、
前記軌道上における列車の位置と、該位置において前記情報提供手段によって提供される情報の元になる放送信号を発信する放送局とを対応付けたデータベース情報を取得するデータベース取得手段と、
前記データベース情報を保持するデータベース保持手段とを有し、
前記放送局切替手段による放送信号の切り替えは、前記位置情報取得手段によって取得された位置情報と前記データベース取得手段によって取得されたデータベース情報とに基づいて行われ、
前記受信手段は、それぞれが、前記複数の放送局のそれぞれから発信された放送信号を受信する複数のチューナを有し、
前記放送局切替手段による切り替えは、前記複数のチューナから出力される放送信号のいずれかを選択的に前記情報提供手段に伝送することによって行われ、
前記データベース取得手段によるデータベース情報の取得は、前記データベース保持手段からのデータベース情報の取得であり、
前記複数のチューナによる放送信号の受信感度に基づいて、前記複数の放送局のいずれかを選択する放送局決定手段と、
前記位置情報取得手段により取得された位置情報と、前記放送局決定手段により選択された放送局とを対応づけて、前記データベース情報として前記データベース保持手段に保持させるデータベース登録手段とをさらに有する
ことを特徴とする列車放送受信システム。
【請求項２】
軌道上を走行する列車の位置情報を取得する位置情報取得手段と、
複数の放送局から発信された放送信号の１つ以上を受信する受信手段と、
前記受信手段によって受信された放送信号に基づく情報を、利用者に提供する情報提供手段と、
前記情報提供手段によって提供される情報の元になる放送信号を、前記複数の放送局から発信された放送信号のいずれかに切り替える放送局切替手段と、
前記軌道上における列車の位置と、該位置において前記情報提供手段によって提供される情報の元になる放送信号を発信する放送局とを対応付けたデータベース情報を取得するデータベース取得手段とを有し、
前記放送局切替手段による放送信号の切り替えは、前記位置情報取得手段によって取得された位置情報と前記データベース取得手段によって取得されたデータベース情報とに基づいて行われ、
前記受信手段は、それぞれが、前記複数の放送局のそれぞれから発信された放送信号を受信する複数のチューナを有し、
前記放送局切替手段による切り替えは、前記複数のチューナから出力される放送信号のいずれかを選択的に前記情報提供手段に伝送することによって行われ、
前記データベース取得手段によるデータベース情報の取得は、前記データベース情報を保持する外部のデータベース保持手段からのデータベース情報の取得であり、
前記複数のチューナによる放送信号の受信感度に基づいて、前記複数の放送局のいずれかを選択する放送局決定手段と、
前記位置情報取得手段により取得された位置情報と、前記放送局決定手段により選択された放送局とを対応づけて、前記データベース情報として前記データベース保持手段に保持させるデータベース登録手段とをさらに有する
ことを特徴とする列車放送受信システム。
【請求項３】
軌道上を走行する列車の位置情報を取得する位置情報取得手段と、
複数の放送局から発信された放送信号の１つ以上を受信する受信手段と、
前記受信手段によって受信された放送信号に基づく情報を、利用者に提供する情報提供手段と、
前記情報提供手段によって提供される情報の元になる放送信号を、前記複数の放送局から発信された放送信号のいずれかに切り替える放送局切替手段と、
前記軌道上における列車の位置と、該位置において前記情報提供手段によって提供される情報の元になる放送信号を発信する放送局とを対応付けたデータベース情報を取得するデータベース取得手段と
を有し、
前記放送局切替手段による放送信号の切り替えは、前記位置情報取得手段によって取得された位置情報と前記データベース取得手段によって取得されたデータベース情報とに基づいて行われ、
前記放送局切替手段による切り替えは、前記複数の放送局のそれぞれから発信された放送信号のいずれかを選択的に前記受信手段に伝送することによって行われる
ことを特徴とする列車放送受信システム。
【請求項４】
前記データベース情報を保持するデータベース保持手段をさらに有し、
前記データベース取得手段によるデータベース情報の取得は、前記データベース保持手段からのデータベース情報の取得である
ことを特徴とする請求項３に記載の列車放送受信システム。
【請求項５】
前記データベース取得手段によるデータベース情報の取得は、前記データベース情報を保持する外部のデータベース保持手段からのデータベース情報の取得である
ことを特徴とする請求項３に記載の列車放送受信システム。
【請求項６】
基地局との通信を行う列車運行制御手段を有し、
前記位置情報取得手段が取得する位置情報は、前記列車運行制御手段が前記基地局から受信した情報である
ことを特徴とする請求項１乃至５のいずれかに記載の列車放送受信システム。
【請求項７】
軌道上を走行する列車の位置情報を取得する位置情報取得手段と、
複数の放送局から発信された放送信号の１つ以上を受信する受信手段と、
前記受信手段によって受信された放送信号に基づく情報を、利用者に提供する情報提供手段と、
前記情報提供手段によって提供される情報の元になる放送信号を、前記複数の放送局から発信された放送信号のいずれかに切り替える放送局切替手段と、
前記軌道上における列車の位置と、該位置において前記情報提供手段によって提供される情報の元になる放送信号を発信する放送局とを対応付けたデータベース情報を取得するデータベース取得手段と、
基地局との通信を行う列車運行制御手段と
を有し、
前記放送局切替手段による放送信号の切り替えは、前記位置情報取得手段によって取得された位置情報と前記データベース取得手段によって取得されたデータベース情報とに基づいて行われ、
前記位置情報取得手段が取得する位置情報は、前記列車運行制御手段が前記基地局から受信した情報である
ことを特徴とする列車放送受信システム。
【手続補正２】
【補正対象書類名】明細書
【補正対象項目名】０００６
【補正方法】変更
【補正の内容】
【０００６】
本発明の列車放送受信システムは、軌道上を走行する列車の位置情報を取得する位置情報取得手段と、複数の放送局から発信された放送信号の１つ以上を受信する受信手段と、前記受信手段によって受信された放送信号に基づく情報を、利用者に提供する情報提供手段と、前記情報提供手段によって提供される情報の元になる放送信号を、前記複数の放送局から発信された放送信号のいずれかに切り替える放送局切替手段と、前記軌道上における列車の位置と、該位置において前記情報提供手段によって提供される情報の元になる放送信号を発信する放送局とを対応付けたデータベース情報を取得するデータベース取得手段と、前記データベース情報を保持するデータベース保持手段とを有し、前記放送局切替手段による放送信号の切り替えは、前記位置情報取得手段によって取得された位置情報と前記データベース取得手段によって取得されたデータベース情報とに基づいて行われ、前記受信手段は、それぞれが、前記複数の放送局のそれぞれから発信された放送信号を受信する複数のチューナを有し、前記放送局切替手段による切り替えは、前記複数のチューナから出力される放送信号のいずれかを選択的に前記情報提供手段に伝送することによって行われ、前記データベース取得手段によるデータベース情報の取得は、前記データベース保持手段からのデータベース情報の取得であり、前記複数のチューナによる放送信号の受信感度に基づいて、前記複数の放送局のいずれかを選択する放送局決定手段と、前記位置情報取得手段により取得された位置情報と、前記放送局決定手段により選択された放送局とを対応づけて、前記データベース情報として前記データベース保持手段に保持させるデータベース登録手段とをさらに有することを特徴とする。